(57)【要約】【課題】過去に閲覧された広告を要求により再度閲覧させるサーバ、方法、およびプログラムを提供すること。【解決手段】広告閲覧サーバ１０は、Ｗｅｂページに付加された広告に関して、少なくとも当該広告へのリンク情報を含んだ広告データを受信する配信データ受信部１１と、配信データ受信部１１により受信された広告データを蓄積記憶する蓄積記憶部１２と、ユーザ端末３０から、蓄積記憶部１２により記憶された広告データを閲覧する要求を、当該広告データの抽出条件と共に受け付ける閲覧要求受付部１３と、閲覧要求受付部１３により受け付けた要求に応じて、蓄積記憶部１２により記憶された広告データから、抽出条件を満たす広告データを抽出するデータ抽出部１４と、データ抽出部１４により抽出された広告データのうち少なくともリンク情報を一覧表示させるページデータを生成し、ユーザ端末３０へ送信するリスト送信部１５と、を備える。【選択図】図３
2010044735.tif 000002
【特許請求の範囲】
【請求項１】
Ｗｅｂページに付加された広告に関して、少なくとも当該広告へのリンク情報を含んだ広告データを受信する受信手段と、
前記受信手段により受信された広告データを蓄積記憶する記憶手段と、
ユーザ端末から、前記記憶手段により記憶された広告データを閲覧する要求を、当該広告データの抽出条件と共に受け付ける受付手段と、
前記受付手段により受け付けた要求に応じて、前記記憶手段により記憶された広告データから、前記抽出条件を満たす広告データを抽出する抽出手段と、
前記抽出手段により抽出された広告データのうち少なくとも前記リンク情報を一覧表示させるページデータを生成し、前記ユーザ端末へ送信する送信手段と、を備える広告閲覧サーバ。
【請求項２】
前記受信手段は、前記広告データの一部として、前記広告が付加されたＷｅｂページを識別するデータを、当該広告に関連付けて受信し、
前記受付手段は、前記抽出条件として、前記Ｗｅｂページを識別するデータを受け付けることを特徴とする請求項１に記載の広告閲覧サーバ。
【請求項３】
前記受信手段は、前記広告データの一部として、前記広告の付加されたＷｅｂページが表示された端末のユーザを識別するデータを、当該広告に関連付けて受信し、
前記受付手段は、前記抽出条件として、前記ユーザを識別するデータを受け付けることを特徴とする請求項１または請求項２に記載の広告閲覧サーバ。
【請求項４】
前記受信手段は、前記広告データとして、前記広告が付加された時間帯を受信することを特徴とする請求項１から請求項３のいずれかに記載の広告閲覧サーバ。
【請求項５】
前記受信手段は、前記広告データとして、前記広告が付加されたＷｅｂページ上の位置を受信することを特徴とする請求項１から請求項４のいずれかに記載の広告閲覧サーバ。
【請求項６】
前記受信手段は、前記広告データとして、前記一覧表示における前記広告データの表示スタイルを示すデータを受信し、
前記送信手段は、前記表示スタイルに基づいて、前記ページデータを生成することを特徴とする請求項１から請求項５のいずれかに記載の広告閲覧サーバ。
【請求項７】
前記受信手段は、前記広告データとして、前記広告に関する付加情報データを受信し、
前記送信手段は、前記付加情報データを含んで前記ページデータを生成することを特徴とする請求項１から請求項６のいずれかに記載の広告閲覧サーバ。
【請求項８】
前記記憶手段により記憶された広告データの表示頻度に基づく評価値を算出する算出手段をさらに備え、
前記送信手段は、前記算出手段により算出された評価値に基づいて、前記一覧表示の順位付けを行うことを特徴とする請求項１から請求項７のいずれかに記載の広告閲覧サーバ。
【請求項９】
前記受信手段は、前記Ｗｅｂページ内に前記広告と対応付けて配置された要素が選択操作されたことを示す選択データを、前記広告データと共に受信し、
前記記憶手段は、前記受信手段により前記選択データが受信された場合に、前記広告データと対応付けて、当該選択データを記憶し、
前記送信手段は、前記選択データの有無に応じて異なるページデータであって、前記選択データが存在する場合はその選択データに対応する前記広告の表示に到達するために操作すべき表示要素を前記リンク情報と共にまたはリンク情報の表示に先立って表示するページデータを送信することを特徴とする請求項１から請求項８のいずれかに記載の広告閲覧サーバ。
【請求項１０】
前記抽出手段は、前記選択データのある広告データを優先的に抽出することを特徴とする請求項９に記載の広告閲覧サーバ。
【請求項１１】
前記受付手段は、前記抽出条件として、前記選択データの有無を受け付けることを特徴とする請求項９または請求項１０に記載の広告閲覧サーバ。
【請求項１２】
前記記憶手段は、前記送信手段により前記ページデータが送信されたことに応じて、前記選択データを消去することを特徴とする請求項９から請求項１１のいずれかに記載の広告閲覧サーバ。
【請求項１３】
前記記憶手段は、前記選択データが記憶されてから所定時間が経過したことに応じて、当該選択データを消去することを特徴とする請求項９から請求項１２のいずれかに記載の広告閲覧サーバ。
【請求項１４】
コンピュータが広告を提示する方法であって、
Ｗｅｂページに付加された広告に関して、少なくとも当該広告へのリンク情報を含んだ広告データを受信する受信ステップと、
前記受信ステップにより受信された広告データを蓄積記憶する記憶ステップと、
ユーザ端末から、前記記憶ステップにより記憶された広告データを閲覧する要求を、当該広告データの抽出条件と共に受け付ける受付ステップと、
前記受付ステップにより受け付けた要求に応じて、前記記憶ステップにより記憶された広告データから、前記抽出条件を満たす広告データを抽出する抽出ステップと、
前記抽出ステップにより抽出された広告データのうち少なくとも前記リンク情報を一覧表示させるページデータを生成し、前記ユーザ端末へ送信する送信ステップと、を含む方法。
【請求項１５】
請求項１４に記載の方法をコンピュータに実行させるプログラム。
【発明の詳細な説明】
【技術分野】
【０００１】
本発明は、広告を閲覧させるサーバ、方法、およびプログラムに関する。
【背景技術】
【０００２】
従来、インターネットにおける広告の方法として、ユーザが閲覧したＷｅｂページに対して、商品紹介ページ等へのリンクを含んだ広告データを付加するサービスが行われている。このようなサービスには、予め決められた広告を一定期間掲載するものや、ユーザが入力した検索キーワードに連動した広告を掲載するもの等、がある。
【０００３】
また、複数の広告がランダムに選択されたり、日々更新されるユーザ属性に応じて広告が選択されたりする方法も知られている。このように、Ｗｅｂページに付加される広告は、閲覧するタイミングによって変化する場合があるため、たとえユーザが同じＷｅｂページを閲覧したとしても、同じ広告が表示されるとは限らない。
【０００４】
ところで、過去に公開されたＷｅｂページをユーザが閲覧可能とする方法も知られており、例えば、サーバがＷｅｂページ情報を取得して記録しておくことにより、ユーザが検索閲覧することができるシステムが提案されている（例えば、特許文献１参照）。
【特許文献１】特開２００２−７３６０９号公報
【発明の開示】
【発明が解決しようとする課題】
【０００５】
しかしながら、特許文献１のシステムでは、所定のサーバが対象のＷｅｂページにアクセスして取得した情報を記録するので、ユーザ端末からアクセスする場合とはタイミングやユーザ属性が異なるため、実際にユーザ端末に表示された広告データが記録されているとは限らない。したがって、ユーザが過去に閲覧した広告を再度閲覧したいと思っても、同じ広告を確実に閲覧することは難しかった。
【０００６】
そこで本発明は、過去に閲覧された広告を要求により再度閲覧させるサーバ、方法、およびプログラムを提供することを目的とする。
【課題を解決するための手段】
【０００７】
本発明では、以下のような解決手段を提供する。
【０００８】
（１）  Ｗｅｂページに付加された広告に関して、少なくとも当該広告へのリンク情報を含んだ広告データを受信する受信手段と、
前記受信手段により受信された広告データを蓄積記憶する記憶手段と、
ユーザ端末から、前記記憶手段により記憶された広告データを閲覧する要求を、当該広告データの抽出条件と共に受け付ける受付手段と、
前記受付手段により受け付けた要求に応じて、前記記憶手段により記憶された広告データから、前記抽出条件を満たす広告データを抽出する抽出手段と、
前記抽出手段により抽出された広告データのうち少なくとも前記リンク情報を一覧表示させるページデータを生成し、前記ユーザ端末へ送信する送信手段と、を備える広告閲覧サーバ。
【０００９】
このような構成によれば、当該広告閲覧サーバは、Ｗｅｂページに付加された広告に関して、少なくとも当該広告へのリンク情報を含んだ広告データを受信し、受信された広告データを蓄積記憶し、ユーザ端末から、記憶された広告データを閲覧する要求を、当該広告データの抽出条件と共に受け付け、受け付けた要求に応じて、記憶された広告データから、抽出条件を満たす広告データを抽出し、抽出された広告データのうち少なくともリンク情報を一覧表示させるページデータを生成し、ユーザ端末へ送信する。
【００１０】
このことにより、当該広告閲覧サーバは、Ｗｅｂページに対して付加された広告へのリンク情報を蓄積記憶する。したがって、当該広告閲覧サーバは、ユーザ端末から受信した抽出条件に従って、過去に閲覧された広告へのリンクを抽出し、広告をユーザに再度閲覧させることができる。
【００１１】
（２）  前記受信手段は、前記広告データの一部として、前記広告が付加されたＷｅｂページを識別するデータを、当該広告に関連付けて受信し、
前記受付手段は、前記抽出条件として、前記Ｗｅｂページを識別するデータを受け付けることを特徴とする（１）に記載の広告閲覧サーバ。
【００１２】
このような構成によれば、当該広告閲覧サーバは、広告データの一部として、広告が付加されたＷｅｂページを識別するデータを、当該広告に関連付けて受信し、抽出条件として、Ｗｅｂページを識別するデータを受け付ける。
【００１３】
このことにより、当該広告閲覧サーバは、Ｗｅｂページを識別するデータにより、過去に閲覧された広告データを分類して蓄積記憶する。したがって、当該広告閲覧サーバは、ユーザ端末から、抽出条件として、過去に閲覧した広告が表示されていたＷｅｂページが指定された場合に、この指定されたＷｅｂページに関連付けられた広告データを抽出して、効率的にユーザに閲覧させることができる。
【００１４】
（３）  前記受信手段は、前記広告データの一部として、前記広告の付加されたＷｅｂページが表示された端末のユーザを識別するデータを、当該広告に関連付けて受信し、
前記受付手段は、前記抽出条件として、前記ユーザを識別するデータを受け付けることを特徴とする（１）または（２）に記載の広告閲覧サーバ。
【００１５】
このような構成によれば、当該広告閲覧サーバは、広告データの一部として、広告の付加されたＷｅｂページが表示された端末のユーザを識別するデータを、当該広告に関連付けて受信し、前記抽出条件として、ユーザを識別するデータを受け付ける。
【００１６】
このことにより、当該広告閲覧サーバは、ユーザを識別するデータにより、過去に閲覧された広告データを分類して蓄積記憶する。したがって、当該広告閲覧サーバは、ユーザ端末から、抽出条件として、閲覧者であるユーザを識別するデータが指定された場合に、この指定されたユーザに関連付けられた広告データを抽出して、効率的にユーザに閲覧させることができる。
【００１７】
（４）  前記受信手段は、前記広告データとして、前記広告が付加された時間帯を受信することを特徴とする（１）から（３）のいずれかに記載の広告閲覧サーバ。
【００１８】
このような構成によれば、当該広告閲覧サーバは、広告データとして、広告が付加された時間帯を受信して記憶する。したがって、当該広告閲覧サーバは、ユーザ端末から、抽出条件として、ユーザが広告を閲覧した時間帯を指定された場合に、この指定された時間帯に関連付けられた広告データを抽出して、効率的にユーザに閲覧させることができる。
【００１９】
（５）  前記受信手段は、前記広告データとして、前記広告が付加されたＷｅｂページ上の位置を受信することを特徴とする（１）から（４）のいずれかに記載の広告閲覧サーバ。
【００２０】
このような構成によれば、当該広告閲覧サーバは、広告データとして、広告が付加されたＷｅｂページ上の位置を受信して記憶する。したがって、当該広告閲覧サーバは、ユーザ端末から、抽出条件として、例えば、上部（Ｔｏｐ）や右部（Ｒｉｇｈｔ）等の、広告が表示されていた位置が指定された場合に、この指定された位置に関連付けられた広告データを抽出して、効率的にユーザに閲覧させることができる。
【００２１】
（６）  前記受信手段は、前記広告データとして、前記一覧表示における前記広告データの表示スタイルを示すデータを受信し、
前記送信手段は、前記表示スタイルに基づいて、前記ページデータを生成することを特徴とする（１）から（５）のいずれかに記載の広告閲覧サーバ。
【００２２】
このような構成によれば、当該広告閲覧サーバは、広告データとして、一覧表示における広告データの表示スタイルを示すデータを受信し、受信した表示スタイルに基づいて、ページデータを生成する。
【００２３】
このことにより、当該広告閲覧サーバは、過去に閲覧した広告の一覧表示において、広告データそれぞれを指定された表示スタイルで表示させることができる。したがって、広告主の所望するフォントによる表示や強調表示等が可能となるので、例えば広告主から付加広告料を徴収することにより、付加的なサービスを提供することができる。
【００２４】
（７）  前記受信手段は、前記広告データとして、前記広告に関する付加情報データを受信し、
前記送信手段は、前記付加情報データを含んで前記ページデータを生成することを特徴とする（１）から（６）のいずれかに記載の広告閲覧サーバ。
【００２５】
このような構成によれば、当該広告閲覧サーバは、前記広告データとして、広告に関する付加情報データを受信し、受信した付加情報データを含んでページデータを生成する。
【００２６】
このことにより、当該広告閲覧サーバは、過去に閲覧した広告の一覧表示において、広告データそれぞれに対する付加情報を表示させることができる。したがって、例えば、広告主から付加広告料と共に付加情報データを取得することにより、広告データそれぞれに対して、アイコンやテキスト情報、関連ＷｅｂページのＵＲＬ等を表示させることができる。すなわち、付加的な広告サービスを提供することができる。
【００２７】
（８）  前記記憶手段により記憶された広告データの表示頻度に基づく評価値を算出する算出手段をさらに備え、
前記送信手段は、前記算出手段により算出された評価値に基づいて、前記一覧表示の順位付けを行うことを特徴とする（１）から（７）のいずれかに記載の広告閲覧サーバ。
【００２８】
このような構成によれば、当該広告閲覧サーバは、記憶された広告データの表示頻度に基づく評価値を算出し、算出された評価値に基づいて、一覧表示の順位付けを行う。
【００２９】
このことにより、当該広告閲覧サーバは、表示頻度に基づいて記憶された広告データを評価し、表示順位を決定する。したがって、例えば、より頻繁に閲覧される広告を優先的に表示させる等の調整により、ユーザの利便性が向上する可能性がある。
【００３０】
（９）  前記受信手段は、前記Ｗｅｂページ内に前記広告と対応付けて配置された要素が選択操作されたことを示す選択データを、前記広告データと共に受信し、
前記記憶手段は、前記受信手段により前記選択データが受信された場合に、前記広告データと対応付けて、当該選択データを記憶し、
前記送信手段は、前記選択データの有無に応じて異なるページデータであって、前記選択データが存在する場合はその選択データに対応する前記広告の表示に到達するために操作すべき表示要素を前記リンク情報と共にまたはリンク情報の表示に先立って表示するページデータを送信することを特徴とする（１）から（８）のいずれかに記載の広告閲覧サーバ。
【００３１】
このような構成によれば、当該広告閲覧サーバは、Ｗｅｂページ内に広告と対応付けて配置された要素が選択操作されたことを示す選択データを、広告データと共に受信し、選択データが受信された場合に、広告データと対応付けて、当該選択データを記憶し、選択データの有無に応じて異なるページデータであって、選択データが存在する場合はその選択データに対応する広告の表示に到達するために操作すべき表示要素をリンク情報と共にまたはリンク情報の表示に先立って表示するページデータを送信する。
【００３２】
このことにより、当該広告閲覧サーバは、ユーザが能動的に選択した広告を、その他の広告と区別して記憶することができる。その結果、ユーザは、例えば特に興味を惹かれた広告を選択しておき、後から簡易に探し出すことができる。
【００３３】
（１０）  前記抽出手段は、前記選択データのある広告データを優先的に抽出することを特徴とする（９）に記載の広告閲覧サーバ。
【００３４】
このような構成によれば、当該広告閲覧サーバは、ユーザが能動的に選択した広告を優先して抽出する。このことにより、ユーザは、特に興味を惹かれた広告のみを後から選択的に閲覧することができる。
【００３５】
（１１）  前記受付手段は、前記抽出条件として、前記選択データの有無を受け付けることを特徴とする（９）または（１０）に記載の広告閲覧サーバ。
【００３６】
このような構成によれば、当該広告閲覧サーバは、抽出条件に従って、ユーザが能動的に選択した広告、または選択されなかった広告を、選択的に抽出する。このことにより、ユーザは、所望の広告を効率的に閲覧することができる。
【００３７】
（１２）  前記記憶手段は、前記送信手段により前記ページデータが送信されたことに応じて、前記選択データを消去することを特徴とする（９）から（１１）のいずれかに記載の広告閲覧サーバ。
【００３８】
このような構成によれば、当該広告閲覧サーバは、ユーザが広告を選択したことを示す選択データを、この広告が閲覧されたことに応じて消去する。このことにより、当該広告閲覧サーバは、ユーザが既に見終わって不要となった広告が優先して抽出されるのを抑止することができる。その結果、ユーザは、所望の広告を効率的に閲覧することができる。
【００３９】
（１３）  前記記憶手段は、前記選択データが記憶されてから所定時間が経過したことに応じて、当該選択データを消去することを特徴とする（９）から（１２）のいずれかに記載の広告閲覧サーバ。
【００４０】
このような構成によれば、当該広告閲覧サーバは、ユーザが広告を選択したことを示す選択データを、所定時間が経過したことに応じて消去する。このことにより、当該広告閲覧サーバは、日数の経過により情報が古くなったり、ユーザの興味が薄れてしまったりした広告が優先して抽出されるのを抑止することができる。その結果、ユーザは、所望の広告を効率的に閲覧することができる。
【００４１】
（１４）  コンピュータが広告を提示する方法であって、
Ｗｅｂページに付加された広告に関して、少なくとも当該広告へのリンク情報を含んだ広告データを受信する受信ステップと、
前記受信ステップにより受信された広告データを蓄積記憶する記憶ステップと、
ユーザ端末から、前記記憶ステップにより記憶された広告データを閲覧する要求を、当該広告データの抽出条件と共に受け付ける受付ステップと、
前記受付ステップにより受け付けた要求に応じて、前記記憶ステップにより記憶された広告データから、前記抽出条件を満たす広告データを抽出する抽出ステップと、
前記抽出ステップにより抽出された広告データのうち少なくとも前記リンク情報を一覧表示させるページデータを生成し、前記ユーザ端末へ送信する送信ステップと、を含む方法。
【００４２】
このような構成によれば、当該方法を実行することにより、（１）と同様の効果が期待できる。
【００４３】
（１５）  （１４）に記載の方法をコンピュータに実行させるプログラム。
【００４４】
このような構成によれば、当該プログラムをコンピュータに実行させることにより、（１）と同様の効果が期待できる。
【発明の効果】
【００４５】
本発明によれば、過去に閲覧された広告を要求により再度閲覧させることができる。
【発明を実施するための最良の形態】
【００４６】
＜第１実施形態＞
以下、本発明の第１実施形態について図を参照しながら説明する。
【００４７】
［システム全体構成］
図１は、本実施形態に係る広告閲覧サーバ１０と関連要素とを含んだシステムの全体構成を示す図である。広告閲覧サーバ１０と、広告配信サーバ２０と、ユーザ端末３０とは、ネットワークを介して互いに接続されている。
【００４８】
ユーザ端末３０がＷｅｂページの閲覧要求を行うと、広告配信サーバ２０は、予め記憶してある広告データの中から１または複数の広告データを選択し、Ｗｅｂページに付加してユーザ端末３０へ送信する。このとき、広告配信サーバ２０は、ユーザ端末３０への広告データの配信情報を広告閲覧サーバ１０へ送信する。広告閲覧サーバ１０は、この情報を蓄積記憶する。
【００４９】
その後、ユーザ端末３０から、過去に閲覧した広告データを再度閲覧したい旨の要求を受け付けると、広告閲覧サーバ１０は、蓄積記憶された広告データの中から、指定された条件を満たす広告へのリンクデータを抽出する。抽出されたリンクデータのリストがユーザ端末３０に送信されると、ユーザは、このリストから所望のリンクを選択することにより、リンク先の広告を閲覧することができる。
【００５０】
［ハードウェア構成］
図２は、本実施形態に係る広告閲覧サーバ１０のハードウェア構成を示す図である。広告閲覧サーバ１０は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。尚、ハードディスク３７０、光ディスクドライブ３８０、並びに、半導体メモリ３９０はまとめて記憶装置４１０と呼ばれる。
【００５１】
制御部３００は、広告閲覧サーバ１０を統括的に制御する部分であり、ハードディスク３７０に記憶された各種プログラムを適宜読み出して実行することにより、上述したハードウェアと協働し、本発明に係る各種機能を実現している。
【００５２】
通信Ｉ／Ｆ３３０は、広告閲覧サーバ１０が、ネットワークを介して図１の広告配信サーバ２０やユーザ端末３０等、他の装置と情報を送受信する場合のネットワーク・アダプタである。通信Ｉ／Ｆ３３０は、モデム、ケーブル・モデムおよびイーサネット（登録商標）・アダプタを含んでよい。
【００５３】
ＢＩＯＳ３５０は、広告閲覧サーバ１０の起動時にＣＰＵ３１０が実行するブートプログラムや、広告閲覧サーバ１０のハードウェアに依存するプログラム等を記録する。
【００５４】
Ｉ／Ｏコントローラ３６０には、ハードディスク３７０、光ディスクドライブ３８０、および半導体メモリ３９０等の記憶装置４１０を接続することができる。
【００５５】
ハードディスク３７０は、本ハードウェアを広告閲覧サーバ１０として機能させるための各種プログラム、本発明の機能を実行するプログラムおよび後述するテーブル等を記憶する。なお、広告閲覧サーバ１０は、外部に別途設けたハードディスク（図示せず）を外部記憶装置として利用することもできる。
【００５６】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラムまたはデータを読み取り、Ｉ／Ｏコントローラ３６０を介してメインメモリ３４０またはハードディスク３７０に提供することもできる。
【００５７】
なお、本発明でいうコンピュータとは、記憶装置、制御部等を備えた情報処理装置をいい、広告閲覧サーバ１０は、記憶装置４１０、制御部３００等を備えた情報処理装置により構成され、この情報処理装置は、本発明のコンピュータの概念に含まれる。
【００５８】
［機能構成］
図３は、本実施形態に係る広告閲覧サーバ１０の機能構成を示す図である。広告閲覧サーバ１０の制御部３００は、受信手段としての配信データ受信部１１と、記憶手段としての蓄積記憶部１２と、受付手段としての閲覧要求受付部１３と、抽出手段としてのデータ抽出部１４と、送信手段としてのリスト送信部１５と、算出手段としての評価更新部１６と、を備える。また、広告閲覧サーバ１０の記憶装置４１０は、広告ＤＢ１７を備える。
【００５９】
配信データ受信部１１は、ユーザ端末３０へ配信された広告に関する広告データを、広告配信サーバ２０から受信する。具体的には、広告データは、広告の表示データが格納されたアドレスへのリンクを含み、配信先のＷｅｂページを示すＵＲＬと共に受信する。
【００６０】
ここで、Ｗｅｂページに対して配信する候補として複数の広告データが存在した場合、実際にＷｅｂページに付加されてユーザに閲覧されるのは、ランダムに、あるいは所定のルールに従って選択された広告データである。この場合、実際に閲覧された広告データだけでなく、候補となった広告データについても、合わせて受信することとしてよい。
【００６１】
さらに、ユーザ端末３０のユーザに関してユーザ認証を行っている場合には、配信データ受信部１１は、このユーザを識別するＩＤを、広告データと関連付けて受信する。
【００６２】
蓄積記憶部１２は、配信データ受信部１１により受信した広告データを、広告ＤＢ１７に蓄積記憶する。このとき、広告ＤＢ１７には、広告へのリンク情報（広告アドレス）を含む各種の関連データと、Ｗｅｂページおよびユーザとの関連付けが記憶される。
【００６３】
図４は、本実施形態に係る広告ＤＢ１７に格納された広告テーブルを示す図である。ここでは、広告ＩＤに対して、広告アドレス、一覧表示する際の表示スタイル、付加情報としてのメタデータ（タイトルや、その他の表示テキスト等）、アイコン、関連広告（シリーズ商品や関連商品等）のアドレスが記憶される。
【００６４】
これらの記憶データは、一覧表示する際の、表示内容やスタイルを指定するものである。そこで、広告主からの広告料に応じて、設定可能なフィールドを限定することにより、ユーザ端末３０における広告効果に差異を設けることができる。この差異は、広告配信サーバ２０において、広告料に応じた記憶条件（例えば、ノーマル、プレミアム等）として設定される。この設定に従って、記憶可能なデータが広告配信サーバ２０により取捨選択され、配信データ受信部１１により受信される。
【００６５】
なお、広告テーブルには、さらに、広告毎の評価値が記憶されている。この評価値は、後述の評価更新部１６により更新される値であり、後述のリスト送信部１５における表示順位の決定に利用される。
【００６６】
図５は、本実施形態に係る広告ＤＢ１７に格納されたページ別配信テーブルを示す図である。ここでは、Ｗｅｂページに対して、付加された広告ＩＤ、閲覧された日時（時間帯）、Ｗｅｂページ上で広告が配置された表示位置が記憶される。
【００６７】
ここで、日時および表示位置は、広告閲覧要求における広告データの抽出条件となる。すなわち、ユーザ端末３０のユーザは、どのＷｅｂページにおいて、どの時間帯に、どの場所で見た広告であるかを抽出条件として指定することにより、該当の広告データを検索することができる。
【００６８】
図６は、本実施形態に係る広告ＤＢ１７に格納されたユーザ別配信テーブルを示す図である。ここでは、ユーザＩＤに対して、付加された広告ＩＤ、配信対象のＷｅｂページ、閲覧された日時（時間帯）、Ｗｅｂページ上で広告が配置された表示位置が記憶される。
【００６９】
ここで、Ｗｅｂページ、日時、および表示位置は、図５のページ別配信テーブルと同様に、広告閲覧要求における広告データの抽出条件となる。すなわち、ユーザ端末３０のユーザは、自分（ログイン中のユーザ）が、どのＷｅｂページにおいて、どの時間帯に、どの場所で見た広告であるかを抽出条件として指定することにより、該当の広告データを検索することができる。
【００７０】
閲覧要求受付部１３は、ユーザ端末３０から、広告閲覧の要求を受け付ける。このとき、閲覧要求受付部１３は、閲覧対象の広告を抽出するための抽出条件を併せて受け付ける。この抽出条件は、上述のユーザＩＤ、Ｗｅｂページ、日時、表示位置、またはメタデータのうち、いずれか、または全てに関する指定データである。
【００７１】
データ抽出部１４は、閲覧要求受付部１３により受け付けた抽出条件を満たす広告データを、広告ＤＢ１７から抽出する。すなわち、ユーザが覚えている条件に基づいて、該当する広告データが抽出される。また、管理者や広告主にとっては、あるユーザが閲覧した広告や、あるＷｅｂページに表示された広告を集計することができるため、管理に役立てることができる。
【００７２】
リスト送信部１５は、データ抽出部１４により抽出された広告データに基づいて、ユーザ端末３０にて一覧表示させるリストの表示データを生成し、要求のあったユーザ端末３０に送信する。表示データには、広告へのリンク情報が含まれるため、ユーザ端末３０のユーザは、このリンクをクリックすることにより、所望の広告を閲覧することができる。
【００７３】
ここで、リストの表示順序は、日時順、表示位置順等、所定の順序としてよい。また、広告テーブル（図４）の評価値に基づいて優先度を決定し、表示の順位付けを行ってもよい。
【００７４】
図７は、本実施形態に係るユーザ端末３０における広告閲覧の画面表示例を示す図である。
【００７５】
ユーザがブラウザ４０にて閲覧したＷｅｂページ４１には、右端（表示位置＝Ｒｉｇｈｔ）に広告４２が表示されている。このＷｅｂページ４１から、ユーザが他のＷｅｂページへ遷移させた場合、再びＷｅｂページ４１に戻ったときに、同じ広告４２が表示されるとは限らない。
【００７６】
そこで、ユーザは、ブラウザ４０のツールバーに設けられたリスト閲覧ボタン４３を押下する。リスト閲覧ボタン４３が押下されたことに応じて、広告閲覧サーバ１０は、広告閲覧要求と共に広告の抽出条件を受信する。
【００７７】
なお、抽出条件は、リスト閲覧ボタン４３の押下後にユーザに対して入力を求めるウィンドウを表示させることとしてよい。また、抽出条件としてのＷｅｂページは、現在表示中のＷｅｂページ４１、抽出条件としてのユーザＩＤは、現在ログイン中のユーザＩＤとして、自動的に送信することとしてよい。
【００７８】
広告閲覧サーバ１０により生成された広告リストがユーザ端末３０に送信されると、ユーザ端末３０において一覧画面５０が表示される。一覧画面５０では、広告テーブル（図４）にて設定されているスタイルにより、付加情報と共に広告へのリンクを含んだリストが表示される。そして、リンク５１がクリックされると、過去に閲覧された広告４２が再び表示される。
【００７９】
評価更新部１６は、広告テーブル（図４）に記憶される広告毎の評価値を、広告の表示頻度に基づいて算出して更新する。具体的には、評価更新部１６は、データ抽出部１４により抽出された回数をカウントすることにより、この回数が多いほど評価値を大きく算出し、表示の優先度を高める。
【００８０】
この更新された評価値に従って、リスト送信部１５は、表示データにおけるリストの順序を決定する。例えば、閲覧回数の多い広告ほど上位に表示させることにより、ユーザが興味を持つ広告が素早く検索される可能性がある。
【００８１】
［処理フロー］
図８は、本実施形態に係るシステムにおける処理の流れを示す図である。
【００８２】
ステップＳ１では、広告配信サーバ２０は、ユーザ端末３０からのＷｅｂページの閲覧要求に応じて、配信する広告データを抽出する。
【００８３】
ステップＳ２では、広告配信サーバ２０は、ステップＳ１にて抽出された広告データを、閲覧要求のあったＷｅｂページに付加し、ユーザ端末３０に送信する。
【００８４】
ステップＳ３では、広告配信サーバ２０は、ステップＳ１にて抽出された広告データに関して、広告料に応じた条件に従って、付加情報の取捨選択を行う。
【００８５】
ステップＳ４では、広告配信サーバ２０は、ステップＳ３にて選択された付加情報を含めて、広告へのリンク情報を、広告閲覧サーバ１０に送信する。
【００８６】
ステップＳ５では、広告閲覧サーバ１０は、ステップＳ４にて受信したリンク情報および付加情報を、ＷｅｂページまたはユーザＩＤに関連付けて、広告ＤＢ１７に蓄積記憶する。
【００８７】
以上のステップＳ１からＳ５までは、ユーザ端末３０によるＷｅｂページの閲覧要求に応じて繰り返し実行され、ステップＳ５において、過去に配信された広告へのリンク情報が蓄積記憶される。
【００８８】
ステップＳ６では、ユーザ端末３０は、広告閲覧サーバ１０に対して、過去に閲覧したＷｅｂページに付加されていた広告データの抽出条件と共に、閲覧要求を送信する。
【００８９】
ステップＳ７では、広告閲覧サーバ１０は、ステップＳ６にて受信した抽出条件に基づいて、ステップＳ５にて蓄積記憶されたリンク情報および付加情報を抽出する。
【００９０】
ステップＳ８では、広告閲覧サーバ１０は、ステップＳ７にて抽出した情報により、所定のルールで順位付けをし、過去に閲覧された広告のリストを生成する。
【００９１】
ステップＳ９では、広告閲覧サーバ１０は、ステップＳ８にて生成した広告リストを、ユーザ端末３０へ送信する。
【００９２】
ステップＳ１０では、ユーザ端末３０は、ステップＳ９にて受信した広告リストに基づいて画面表示を行い、ユーザからの選択入力を受け付ける。そして、ユーザから選択入力を受け付けると、ユーザ端末３０は、該当の広告アドレスにアクセスし、ユーザが所望する広告を表示させる。
【００９３】
ステップＳ１１では、広告閲覧サーバ１０は、ステップＳ７にてリンク情報を抽出した実績に基づいて、広告ＤＢ１７に記憶された広告データの評価値を更新する。
【００９４】
このように、本実施形態によれば、過去に配信された広告データが広告閲覧サーバ１０に蓄積記憶され、ユーザからの要求に応じて、所望の広告を再度表示させることができる。また、再表示させる広告の抽出条件を指定可能としたことにより、ユーザの利便性を向上させ、管理者や広告主による管理を簡便にすることができる。
【００９５】
さらに、リスト表示のスタイルや付加情報の表示を可能とし、また、表示順序の調整がなされることにより、広告効果を一層高めたサービスを提供することができる。
【００９６】
＜第２実施形態＞
以下、本発明の第２実施形態について図を参照しながら説明する。本実施形態では、ユーザが能動的に、記憶する広告データを選択する点が第１実施形態とは異なる。なお、第１実施形態と共通の構成については、同一の符号を付して説明する。
【００９７】
図９は、本実施形態に係る広告データの選択操作を受け付ける方法を説明する図である。Ｗｅｂページ４１の広告欄６１に隣接して、表示中の広告データを選択（クリップ）する要素６０が配置される。なお、この要素６０は、文字列や画像で表されるハイパーリンクであってよい。
【００９８】
ユーザにより、このハイパーリンクがクリックされたことに応じて、配信データ受信部１１は、表示中の広告が選択されたことを示す選択データ（クリップフラグ＝１）を受信する。そして、蓄積記憶部１２は、広告データと対応付けて、このクリップフラグを記憶する。
【００９９】
図１０は、本実施形態に係る広告ＤＢ１７に格納されるユーザ別配信テーブルを示す図である。ここでは、第１実施形態（図６）に加えて、クリップフラグがさらに記憶される。クリップフラグが「１」の広告データ（図１０の例では、広告ＩＤ＝「０００２」）は、ユーザにより能動的に選択されたものである。
【０１００】
データ抽出部１４は、閲覧要求受付部１３により受け付けた抽出条件に基づいて、広告データと共に、クリップフラグを対応付けて抽出する。これにより、リスト送信部１５は、クリップフラグが「１」の広告データと、その他の広告データとを区別して一覧表示させる表示データを生成する。
【０１０１】
ここで、リスト送信部１５により表示データが送信されると、ユーザ別配信テーブル（図１０）に記憶されたクリップフラグは消去されてよい。このことにより、選択された（クリップされた）広告が、閲覧済みのものを含めて無用に増加することがなくなる。その結果、リストの件数は、まだ閲覧されていないものに限られるので、ユーザは所望の広告を効率的に閲覧することができる。なお、クリップフラグの消去のタイミングは、所定の回数抽出されて送信された場合や、所定時間または日数が経過した場合であってもよい。
【０１０２】
本実施形態では、送信手段であるリスト送信部１５は、選択データの有無に応じて異なるページデータを送信するが、このページデータは、選択データ（クリップフラグ＝１）が存在する場合は、その選択データに対応する広告の表示に到達するために操作すべき表示要素をリンク情報と共にまたはリンク情報の表示に先立って表示するものである。以下、その様々な態様を例示する。
【０１０３】
例えば、図１１は、本実施形態に係る広告データの一覧画面６２を示す図である。この例では、クリップされた（ユーザにより選択された）広告データのリストと、その他の（Ｗｅｂページに表示されたが、ユーザにより選択されなかった）リストと、が区別して一覧表示される。リスト内の各項目は、広告データへのリンクであり、表示されるのは、ＵＲＬや、広告のタイトル、あるいは部分画像や縮小画像等であってよい。
【０１０４】
なお、この一覧画面６２は、ブラウザ４０のツールバーに設けられたリスト閲覧ボタン４３（図９）が押下されたことに応じて、表示されることとしてよい。そして、このリストからリンクがクリックされると、過去に閲覧された対応する広告が表示される。
【０１０５】
ここで、閲覧要求受付部１３は、クリップフラグの有無（「１」か否か）を抽出条件に含めて受信してもよい。具体的には、例えば、別途設けられたボタンが押下されたことに応じて、クリップされた広告データのみの一覧表示を行ってもよい。また、同様に、クリップされていない広告データのみを一覧表示させることもできる。
【０１０６】
図１２は、本実施形態に係る一覧画面６２の表示例を示す図である。この例では、Ｗｅｂページ４１の広告欄６１に隣接して、閲覧ボタン（リンク）６７が配置される。この閲覧ボタン６７が押下されることに応じて、一覧画面６２が表示される。
【０１０７】
ここで、リスト内からリンクがクリックされると、対応する広告データが表示される。表示位置は、一覧画面６２内であってもよいし、別画面を起動して表示してもよい。また、Ｗｅｂページ４１の広告欄６１の表示を、クリックされたリンクに対応する広告に切り替えてもよい。
【０１０８】
このように、本実施形態によれば、ユーザが能動的に選択しておいた広告データを、後から閲覧することができる。すなわち、Ｗｅｂページに表示される広告のうち、ユーザが特に興味を持ったものだけを、選択的に記憶させ、後から簡易に探しだすことができる。
【０１０９】
＜変形例＞
図１３は、第２実施形態の変形例に係る広告データの表示形態を示す図である。
【０１１０】
この例では、ブラウザ４０のツールバーに、広告データの表示要求を行うためのクリップ表示ボタン６３が設けられる。このクリップ表示ボタン６３が押下されると、リスト送信部１５は、広告データとしての画像ファイルを送信する。そして、広告表示画面６４には、広告画像が表示される。ここで、広告表示画面には、次ボタン６５および前ボタン６６が設けられ、これらのボタンが押下されると、送信された広告画像の表示が順次切り替えられる。
【０１１１】
なお、広告表示画面６４に表示される画像は、Ｗｅｂページ４１に表示されていた広告データそのものであってよいが、これには限られない。例えば、リンクが付与された部分画像や縮小画像であってもよい。
【０１１２】
また、リスト送信部１５は、クリップフラグが記憶された日時に基づいて、広告表示の優先度を決定してもよい。例えば、閲覧要求受付部１３により、古い順や新しい順等の表示順を受信することにより、ユーザが所望する広告データを効率的に提示することができる。
【０１１３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【０１１４】
【図１】第１実施形態に係る広告閲覧サーバ１０と関連要素とを含んだシステムの全体構成を示す図である。
【図２】第１実施形態に係る広告閲覧サーバ１０のハードウェア構成を示す図である。
【図３】第１実施形態に係る広告閲覧サーバ１０の機能構成を示す図である。
【図４】第１実施形態に係る広告ＤＢ１７に格納された広告テーブルを示す図である。
【図５】第１実施形態に係る広告ＤＢ１７に格納されたページ別配信テーブルを示す図である。
【図６】第１実施形態に係る広告ＤＢ１７に格納されたユーザ別配信テーブルを示す図である。
【図７】第１実施形態に係るユーザ端末３０における広告閲覧の画面表示例を示す図である。
【図８】第１実施形態に係るシステムにおける処理の流れを示す図である。
【図９】第２実施形態に係る広告データの選択操作を受け付ける方法を説明する図である。
【図１０】第２実施形態に係る広告ＤＢ１７に格納されるユーザ別配信テーブルを示す図である。
【図１１】第２実施形態に係る広告データの一覧画面６２を示す図である。
【図１２】第２実施形態に係る一覧画面６２の表示例を示す図である。
【図１３】第２実施形態の変形例に係る広告データの表示形態を示す図である。
【符号の説明】
【０１１５】
１０  広告閲覧サーバ
１１  配信データ受信部
１２  蓄積記憶部
１３  閲覧要求受付部
１４  データ抽出部
１５  リスト送信部
１６  評価更新部
１７  広告ＤＢ
２０  広告配信サーバ
３０  ユーザ端末
３００  制御部
４１０  記憶装置
【図１】
2010044735.tif 000003
【図２】
2010044735.tif 000004
【図３】
2010044735.tif 000005
【図４】
2010044735.tif 000006
【図５】
2010044735.tif 000007
【図６】
2010044735.tif 000008
【図７】
2010044735.tif 000009
【図８】
2010044735.tif 000010
【図９】
2010044735.tif 000011
【図１０】
2010044735.tif 000012
【図１１】
2010044735.tif 000013
【図１２】
2010044735.tif 000014
【図１３】
2010044735.tif 000015
【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
Ｗｅｂページに付加された広告に関する広告データであって、少なくとも当該広告へのリンク情報を含んだ広告データを受信する受信手段と、
前記受信手段により受信された前記広告データを蓄積記憶する記憶手段と、
端末から、前記記憶手段により記憶された前記広告データを閲覧する要求を、当該広告データの抽出条件と共に受け付ける受付手段と、
前記受付手段により受け付けられた前記要求に応じて、前記記憶手段により記憶された前記広告データから、前記抽出条件を満たす広告データを抽出する抽出手段と、
前記抽出手段により抽出された広告データのうち少なくとも前記リンク情報を一覧表示させるページデータを生成し、当該ページデータを前記端末へ送信する送信手段と、を備える広告閲覧サーバ。
【請求項２】
前記受信手段は、前記広告データの一部として、前記広告が付加された前記Ｗｅｂページを識別するデータを、当該広告へのリンク情報に関連付けて受信し、
前記受付手段は、前記抽出条件として、前記Ｗｅｂページを識別するデータを受け付ける請求項１に記載の広告閲覧サーバ。
【請求項３】
前記受信手段は、前記広告データの一部として、前記広告の付加された前記Ｗｅｂページが表示された端末のユーザを識別するデータを、当該広告へのリンク情報に関連付けて受信し、
前記受付手段は、前記抽出条件として、前記ユーザを識別するデータを受け付ける請求項１又は請求項２に記載の広告閲覧サーバ。
【請求項４】
前記受信手段は、前記広告データの一部として、前記広告が閲覧された時間帯のデータを受信する請求項１から請求項３のいずれかに記載の広告閲覧サーバ。
【請求項５】
前記受信手段は、前記広告データの一部として、前記広告が付加された前記Ｗｅｂページ上における位置のデータを受信する請求項１から請求項４のいずれかに記載の広告閲覧サーバ。
【請求項６】
前記受信手段は、前記広告データの一部として、前記一覧表示における前記広告データそれぞれの表示スタイルを示すデータを受信し、
前記送信手段は、前記表示スタイルを示すデータに基づいて、前記ページデータを生成する請求項１から請求項５のいずれかに記載の広告閲覧サーバ。
【請求項７】
前記受信手段は、前記広告データの一部として、前記広告に関する付加情報データを受信し、
前記送信手段は、前記広告へのリンクデータと共に前記付加情報データを一覧表示させる前記ページデータを生成する請求項１から請求項６のいずれかに記載の広告閲覧サーバ。
【請求項８】
前記記憶手段により記憶された前記広告データの表示頻度に基づく評価値を算出する算出手段をさらに備え、
前記送信手段は、前記算出手段により算出された前記評価値に基づいて、前記一覧表示の順位付けを行う請求項１から請求項７のいずれかに記載の広告閲覧サーバ。
【請求項９】
前記受信手段は、前記Ｗｅｂページ内に前記広告と対応付けて配置された要素が選択操作されたことを示す選択データを、前記広告データと共に受信し、
前記記憶手段は、前記受信手段により前記選択データが受信された場合に、前記広告データと対応付けて、当該選択データを記憶し、
前記送信手段は、前記選択データが存在する場合は、当該選択データに対応する前記広告の表示に到達するために操作すべき表示要素を、前記リンク情報と共に又はリンク情報の表示に先立って表示させるページデータを送信する請求項１から請求項８のいずれかに記載の広告閲覧サーバ。
【請求項１０】
前記抽出手段は、前記選択データに対応する広告データを優先的に抽出する請求項９に記載の広告閲覧サーバ。
【請求項１１】
前記受付手段は、前記抽出条件として、前記選択データの有無を受け付ける請求項９又は請求項１０に記載の広告閲覧サーバ。
【請求項１２】
前記記憶手段は、前記送信手段により前記ページデータが送信されたことに応じて、前記選択データを消去する請求項９から請求項１１のいずれかに記載の広告閲覧サーバ。
【請求項１３】
前記記憶手段は、前記選択データが記憶されてから所定時間が経過したことに応じて、当該選択データを消去する請求項９から請求項１２のいずれかに記載の広告閲覧サーバ。
【請求項１４】
広告閲覧サーバが広告を提示する方法であって、
前記広告閲覧サーバが、Ｗｅｂページに付加された広告に関する広告データであって、少なくとも当該広告へのリンク情報を含んだ広告データを受信する受信ステップと、
前記広告閲覧サーバが、前記受信ステップにおいて受信された前記広告データを蓄積記憶する記憶ステップと、
前記広告閲覧サーバが、端末から、前記記憶ステップにおいて記憶された前記広告データを閲覧する要求を、当該広告データの抽出条件と共に受け付ける受付ステップと、
前記広告閲覧サーバが、前記受付ステップにおいて受け付けられた前記要求に応じて、前記記憶ステップにおいて記憶された前記広告データから、前記抽出条件を満たす広告データを抽出する抽出ステップと、
前記広告閲覧サーバが、前記抽出ステップにおいて抽出された広告データのうち少なくとも前記リンク情報を一覧表示させるページデータを生成し、当該ページデータを前記端末へ送信する送信ステップと、を含む方法。
【請求項１５】
請求項１４に記載の方法を前記広告閲覧サーバに実行させるプログラム。
【手続補正２】
【補正対象書類名】明細書
【補正対象項目名】全文
【補正方法】変更
【補正の内容】
【発明の詳細な説明】
【技術分野】
【０００１】
本発明は、広告を閲覧させるサーバ、方法及びプログラムに関する。
【背景技術】
【０００２】
従来、インターネットにおける広告の方法として、ユーザが閲覧したＷｅｂページに対して、商品紹介ページ等へのリンクを含んだ広告データを付加するサービス（方法）が行われている。このようなサービスには、予め決められた広告を一定期間掲載するものや、ユーザが入力した検索キーワードに連動した広告を掲載するもの等がある。
【０００３】
また、複数の広告がランダムに選択されたり、日々更新されるユーザ属性に応じて広告が選択されたりする方法も知られている。このように、Ｗｅｂページに付加される広告は、閲覧されるタイミングによって変化する場合があるため、たとえユーザが同じＷｅｂページを閲覧したとしても、同じ広告が表示されるとは限らない。
【０００４】
ところで、過去に公開されたＷｅｂページをユーザが閲覧可能とする方法も知られている。例えば、サーバがＷｅｂページ情報を取得して記録しておくことにより、ユーザが検索閲覧することができるシステムが提案されている（例えば、特許文献１参照）。
【特許文献１】特開２００２−７３６０９号公報
【発明の開示】
【発明が解決しようとする課題】
【０００５】
しかしながら、特許文献１のシステムでは、所定のサーバが対象のＷｅｂページにアクセスして取得した情報を記録するので、ユーザ端末からアクセスする場合とはタイミングやユーザ属性が異なるため、実際にユーザ端末に表示された広告データが記録されているとは限らない。したがって、ユーザが過去に閲覧した広告を再度閲覧したいと思っても、同じ広告を確実に閲覧することは難しかった。
【０００６】
そこで本発明は、過去に閲覧された広告を要求により再度閲覧させるサーバ、方法及びプログラムを提供することを目的とする。
【課題を解決するための手段】
【０００７】
本発明では、以下のような解決手段を提供する。
【０００８】
（１）Ｗｅｂページに付加された広告に関する広告データであって、少なくとも当該広告へのリンク情報を含んだ広告データを受信する受信手段と、前記受信手段により受信された前記広告データを蓄積記憶する記憶手段と、端末から、前記記憶手段により記憶された前記広告データを閲覧する要求を、当該広告データの抽出条件と共に受け付ける受付手段と、前記受付手段により受け付けられた前記要求に応じて、前記記憶手段により記憶された前記広告データから、前記抽出条件を満たす広告データを抽出する抽出手段と、前記抽出手段により抽出された広告データのうち少なくとも前記リンク情報を一覧表示させるページデータを生成し、当該ページデータを前記端末へ送信する送信手段と、を備える広告閲覧サーバ。
【０００９】
このような構成によれば、当該広告閲覧サーバは、Ｗｅｂページに付加された広告に関する広告データであって、少なくとも当該広告へのリンク情報を含んだ広告データを受信し、受信された広告データを蓄積記憶し、ユーザ端末から、記憶された広告データを閲覧する要求を、当該広告データの抽出条件と共に受け付け、受け付けられた要求に応じて、記憶された広告データから、抽出条件を満たす広告データを抽出し、抽出された広告データのうち少なくともリンク情報を一覧表示させるページデータを生成し、当該ページデータをユーザ端末へ送信する。
【００１０】
このことにより、当該広告閲覧サーバは、Ｗｅｂページに対して付加された広告へのリンク情報を蓄積記憶する。したがって、当該広告閲覧サーバは、ユーザ端末から受信した抽出条件に従って、過去に閲覧された広告へのリンクを抽出し、広告をユーザに再度閲覧させることができる。
【００１１】
（２）前記受信手段は、前記広告データの一部として、前記広告が付加された前記Ｗｅｂページを識別するデータを、当該広告へのリンク情報に関連付けて受信し、前記受付手段は、前記抽出条件として、前記Ｗｅｂページを識別するデータを受け付ける（１）に記載の広告閲覧サーバ。
【００１２】
このような構成によれば、当該広告閲覧サーバは、広告データの一部として、広告が付加されたＷｅｂページを識別するデータを、当該広告へのリンク情報に関連付けて受信し、抽出条件として、Ｗｅｂページを識別するデータを受け付ける。
【００１３】
このことにより、当該広告閲覧サーバは、Ｗｅｂページを識別するデータにより、過去に閲覧された広告データを分類して蓄積記憶する。したがって、当該広告閲覧サーバは、ユーザ端末から、抽出条件として、過去に閲覧した広告が表示されていたＷｅｂページが指定された場合に、この指定されたＷｅｂページに関連付けられた広告データを抽出して、効率的にユーザに閲覧させることができる。
【００１４】
（３）前記受信手段は、前記広告データの一部として、前記広告の付加された前記Ｗｅｂページが表示された端末のユーザを識別するデータを、当該広告へのリンク情報に関連付けて受信し、前記受付手段は、前記抽出条件として、前記ユーザを識別するデータを受け付ける（１）又は（２）に記載の広告閲覧サーバ。
【００１５】
このような構成によれば、当該広告閲覧サーバは、広告データの一部として、広告の付加されたＷｅｂページが表示された端末のユーザを識別するデータを、当該広告へのリンク情報に関連付けて受信し、抽出条件として、ユーザを識別するデータを受け付ける。
【００１６】
このことにより、当該広告閲覧サーバは、ユーザを識別するデータにより、過去に閲覧された広告データを分類して蓄積記憶する。したがって、当該広告閲覧サーバは、ユーザ端末から、抽出条件として、閲覧者であるユーザを識別するデータが指定された場合に、この指定されたユーザに関連付けられた広告データを抽出して、効率的にユーザに閲覧させることができる。
【００１７】
（４）前記受信手段は、前記広告データの一部として、前記広告が閲覧された時間帯のデータを受信する（１）から（３）のいずれかに記載の広告閲覧サーバ。
【００１８】
このような構成によれば、当該広告閲覧サーバは、広告データの一部として、広告が閲覧された時間帯のデータを受信して記憶する。したがって、当該広告閲覧サーバは、ユーザ端末から、抽出条件として、ユーザが広告を閲覧した時間帯を指定された場合に、この指定された時間帯に関連付けられた広告データを抽出して、効率的にユーザに閲覧させることができる。
【００１９】
（５）前記受信手段は、前記広告データの一部として、前記広告が付加された前記Ｗｅｂページ上における位置のデータを受信する（１）から（４）のいずれかに記載の広告閲覧サーバ。
【００２０】
このような構成によれば、当該広告閲覧サーバは、広告データの一部として、広告が付加されたＷｅｂページ上における位置のデータを受信して記憶する。したがって、当該広告閲覧サーバは、ユーザ端末から、抽出条件として、例えば、上部（Ｔｏｐ）や右部（Ｒｉｇｈｔ）等の、広告が表示されていた位置が指定された場合に、この指定された位置に関連付けられた広告データを抽出して、効率的にユーザに閲覧させることができる。
【００２１】
（６）前記受信手段は、前記広告データの一部として、前記一覧表示における前記広告データそれぞれの表示スタイルを示すデータを受信し、前記送信手段は、前記表示スタイルを示すデータに基づいて、前記ページデータを生成する（１）から（５）のいずれかに記載の広告閲覧サーバ。
【００２２】
このような構成によれば、当該広告閲覧サーバは、広告データの一部として、一覧表示における広告データそれぞれの表示スタイルを示すデータを受信し、受信した表示スタイルを示すデータに基づいて、ページデータを生成する。
【００２３】
このことにより、当該広告閲覧サーバは、過去に閲覧した広告の一覧表示において、広告データそれぞれを指定された表示スタイルで表示させることができる。したがって、当該広告閲覧サーバは、広告主の所望するフォントによる表示や強調表示等が可能となるので、例えば広告主から付加広告料を徴収することにより、付加的なサービスを提供することができる。
【００２４】
（７）前記受信手段は、前記広告データの一部として、前記広告に関する付加情報データを受信し、前記送信手段は、前記広告へのリンクデータと共に前記付加情報データを一覧表示させる前記ページデータを生成する（１）から（６）のいずれかに記載の広告閲覧サーバ。
【００２５】
このような構成によれば、当該広告閲覧サーバは、広告データの一部として、広告に関する付加情報データを受信し、広告へのリンクデータと共に付加情報データを一覧表示させるページデータを生成する。
【００２６】
このことにより、当該広告閲覧サーバは、過去に閲覧した広告の一覧表示において、広告データそれぞれに対する付加情報を表示させることができる。したがって、当該広告閲覧サーバは、例えば、広告主から付加広告料と共に付加情報データを取得することにより、広告データそれぞれに対して、アイコンやテキスト情報、関連ＷｅｂページのＵＲＬ等を表示させることができる。すなわち、当該広告閲覧サーバは、付加的な広告サービスを提供することができる。
【００２７】
（８）前記記憶手段により記憶された前記広告データの表示頻度に基づく評価値を算出する算出手段をさらに備え、前記送信手段は、前記算出手段により算出された前記評価値に基づいて、前記一覧表示の順位付けを行う（１）から（７）のいずれかに記載の広告閲覧サーバ。
【００２８】
このような構成によれば、当該広告閲覧サーバは、記憶された広告データの表示頻度に基づく評価値を算出し、算出された評価値に基づいて、一覧表示の順位付けを行う。
【００２９】
このことにより、当該広告閲覧サーバは、表示頻度に基づいて、記憶された広告データを評価し、表示順位を決定する。したがって、当該広告閲覧サーバは、例えば、より頻繁に閲覧される広告を優先的に表示させる等の調整により、ユーザの利便性を向上できる可能性がある。
【００３０】
（９）前記受信手段は、前記Ｗｅｂページ内に前記広告と対応付けて配置された要素が選択操作されたことを示す選択データを、前記広告データと共に受信し、前記記憶手段は、前記受信手段により前記選択データが受信された場合に、前記広告データと対応付けて、当該選択データを記憶し、前記送信手段は、前記選択データが存在する場合は、当該選択データに対応する前記広告の表示に到達するために操作すべき表示要素を、前記リンク情報と共に又はリンク情報の表示に先立って表示させるページデータを送信する（１）から（８）のいずれかに記載の広告閲覧サーバ。
【００３１】
このような構成によれば、当該広告閲覧サーバは、Ｗｅｂページ内に広告と対応付けて配置された要素が選択操作されたことを示す選択データを、広告データと共に受信し、選択データが受信された場合に、広告データと対応付けて、当該選択データを記憶し、選択データが存在する場合は、当該選択データに対応する広告の表示に到達するために操作すべき表示要素を、リンク情報と共に又はリンク情報の表示に先立って表示させるページデータを送信する。
【００３２】
このことにより、当該広告閲覧サーバは、ユーザが能動的に選択した広告を、その他の広告と区別して記憶することができる。その結果、ユーザは、例えば特に興味を惹かれた広告を選択しておき、後から簡易に探し出すことができる。
【００３３】
（１０）前記抽出手段は、前記選択データに対応する広告データを優先的に抽出する（９）に記載の広告閲覧サーバ。
【００３４】
このような構成によれば、当該広告閲覧サーバは、ユーザが能動的に選択した広告を優先して抽出する。このことにより、ユーザは、特に興味を惹かれた広告のみを後から選択的に閲覧することができる。
【００３５】
（１１）前記受付手段は、前記抽出条件として、前記選択データの有無を受け付ける（９）又は（１０）に記載の広告閲覧サーバ。
【００３６】
このような構成によれば、当該広告閲覧サーバは、抽出条件に従って、ユーザが能動的に選択した広告又は選択されなかった広告を、選択的に抽出する。このことにより、ユーザは、所望の広告を効率的に閲覧することができる。
【００３７】
（１２）前記記憶手段は、前記送信手段により前記ページデータが送信されたことに応じて、前記選択データを消去する（９）から（１１）のいずれかに記載の広告閲覧サーバ。
【００３８】
このような構成によれば、当該広告閲覧サーバは、ユーザが広告を選択したことを示す選択データを、この広告が閲覧されたことに応じて消去する。このことにより、当該広告閲覧サーバは、ユーザが既に見終わって不要となった広告が優先して抽出されるのを抑止することができる。その結果、ユーザは、所望の広告を効率的に閲覧することができる。
【００３９】
（１３）前記記憶手段は、前記選択データが記憶されてから所定時間が経過したことに応じて、当該選択データを消去する（９）から（１２）のいずれかに記載の広告閲覧サーバ。
【００４０】
このような構成によれば、当該広告閲覧サーバは、ユーザが広告を選択したことを示す選択データを、所定時間が経過したことに応じて消去する。このことにより、当該広告閲覧サーバは、日数の経過により情報が古くなったり、ユーザの興味が薄れてしまったりした広告が優先して抽出されるのを抑止することができる。その結果、ユーザは、所望の広告を効率的に閲覧することができる。
【００４１】
（１４）広告閲覧サーバが広告を提示する方法であって、前記広告閲覧サーバが、Ｗｅｂページに付加された広告に関する広告データであって、少なくとも当該広告へのリンク情報を含んだ広告データを受信する受信ステップと、前記広告閲覧サーバが、前記受信ステップにおいて受信された前記広告データを蓄積記憶する記憶ステップと、前記広告閲覧サーバが、端末から、前記記憶ステップにおいて記憶された前記広告データを閲覧する要求を、当該広告データの抽出条件と共に受け付ける受付ステップと、前記広告閲覧サーバが、前記受付ステップにおいて受け付けられた前記要求に応じて、前記記憶ステップにおいて記憶された前記広告データから、前記抽出条件を満たす広告データを抽出する抽出ステップと、前記広告閲覧サーバが、前記抽出ステップにおいて抽出された広告データのうち少なくとも前記リンク情報を一覧表示させるページデータを生成し、当該ページデータを前記端末へ送信する送信ステップと、を含む方法。
【００４２】
このような構成によれば、当該方法を実行することにより、（１）と同様の効果が期待できる。
【００４３】
（１５）（１４）に記載の方法を前記広告閲覧サーバに実行させるプログラム。
【００４４】
このような構成によれば、当該プログラムを広告閲覧サーバに実行させることにより、（１）と同様の効果が期待できる。
【発明の効果】
【００４５】
本発明によれば、過去に閲覧された広告を要求により再度閲覧させることができる。
【発明を実施するための最良の形態】
【００４６】
＜第１実施形態＞
以下、本発明の第１実施形態について図を参照しながら説明する。
【００４７】
［システム全体構成］
図１は、本実施形態に係る広告閲覧サーバ１０と関連要素とを含んだシステムの全体構成を示す図である。広告閲覧サーバ１０と、広告配信サーバ２０と、ユーザ端末３０とは、ネットワークを介して互いに接続されている。
【００４８】
ユーザ端末３０がＷｅｂページの閲覧要求を行うと、広告配信サーバ２０は、予め記憶してある広告の中から１又は複数の広告を選択し、Ｗｅｂページに付加してユーザ端末３０へ送信する。このとき、広告配信サーバ２０は、ユーザ端末３０への広告の配信情報（広告データ）を広告閲覧サーバ１０へ送信する。広告閲覧サーバ１０は、この情報を蓄積記憶する。
【００４９】
その後、ユーザ端末３０から、過去に閲覧した広告を再度閲覧したい旨の要求を受け付けると、広告閲覧サーバ１０は、蓄積記憶された広告データの中から、指定された条件を満たす広告へのリンクデータを抽出する。抽出されたリンクデータのリストがユーザ端末３０に送信されると、ユーザは、このリストから所望のリンクを選択することにより、リンク先の広告を閲覧することができる。
【００５０】
［ハードウェア構成］
図２は、本実施形態に係る広告閲覧サーバ１０のハードウェア構成を示す図である。広告閲覧サーバ１０は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０及び半導体メモリ３９０を備える。なお、ハードディスク３７０、光ディスクドライブ３８０及び半導体メモリ３９０は、まとめて記憶装置４１０と呼ばれる。
【００５１】
制御部３００は、広告閲覧サーバ１０を統括的に制御する部分であり、ハードディスク３７０に記憶された各種プログラムを適宜読み出して実行することにより、上述したハードウェアと協働し、本実施形態に係る各種機能を実現している。
【００５２】
通信Ｉ／Ｆ３３０は、広告閲覧サーバ１０が、ネットワークを介して図１の広告配信サーバ２０やユーザ端末３０等、他の装置と情報を送受信する場合のネットワーク・アダプタである。通信Ｉ／Ｆ３３０は、モデム、ケーブル・モデム及びイーサネット（登録商標）・アダプタを含んでよい。
【００５３】
ＢＩＯＳ３５０は、広告閲覧サーバ１０の起動時にＣＰＵ３１０が実行するブートプログラムや、広告閲覧サーバ１０のハードウェアに依存するプログラム等を記録する。
【００５４】
Ｉ／Ｏコントローラ３６０には、ハードディスク３７０、光ディスクドライブ３８０及び半導体メモリ３９０等の記憶装置４１０を接続することができる。
【００５５】
ハードディスク３７０は、本ハードウェアを広告閲覧サーバ１０として機能させるための各種プログラム、本実施形態における各種機能を実行するプログラム及び後述するテーブル等を記憶する。なお、広告閲覧サーバ１０は、外部に別途設けたハードディスク（図示せず）を外部記憶装置として利用することもできる。
【００５６】
光ディスクドライブ３８０としては、例えば、ＤＶＤ−ＲＯＭドライブ、ＣＤ−ＲＯＭドライブ、ＤＶＤ−ＲＡＭドライブ及びＣＤ−ＲＡＭドライブを使用することができる。光ディスクドライブ３８０を使用する場合は、各ドライブに対応した光ディスク４００を使用する。本実施形態では、光ディスク４００から光ディスクドライブ３８０によりプログラム又はデータを読み取り、Ｉ／Ｏコントローラ３６０を介してメインメモリ３４０又はハードディスク３７０に提供することもできる。
【００５７】
なお、本実施形態でいうコンピュータとは、記憶装置、制御部等を備えた情報処理装置をいい、広告閲覧サーバ１０は、記憶装置４１０、制御部３００等を備えた情報処理装置により構成され、この情報処理装置は、本実施形態のコンピュータの概念に含まれる。
【００５８】
［機能構成］
図３は、本実施形態に係る広告閲覧サーバ１０の機能構成を示す図である。広告閲覧サーバ１０の制御部３００は、受信手段としての配信データ受信部１１と、記憶手段としての蓄積記憶部１２と、受付手段としての閲覧要求受付部１３と、抽出手段としてのデータ抽出部１４と、送信手段としてのリスト送信部１５と、算出手段としての評価更新部１６と、を備える。また、広告閲覧サーバ１０の記憶装置４１０は、広告ＤＢ１７を備える。
【００５９】
配信データ受信部１１は、ユーザ端末３０へ配信された広告に関する広告データを、広告配信サーバ２０から受信する。具体的には、広告データは、広告の表示データが格納されたアドレスへのリンク及び配信先のＷｅｂページを示すＵＲＬを含み、これらは互いに関連付けられている。
【００６０】
ここで、Ｗｅｂページに対して配信する候補として複数の広告が存在した場合、実際にＷｅｂページに付加されてユーザに閲覧されるのは、ランダムに、あるいは所定のルールに従って選択された広告である。この場合、広告閲覧サーバ１０は、実際に閲覧された広告だけでなく、候補となった広告についても、広告データを合わせて受信することとしてよい。
【００６１】
さらに、広告配信サーバ２０がユーザ端末３０のユーザに関してユーザ認証を行っている場合には、配信データ受信部１１は、このユーザを識別するＩＤを、広告データの一部として広告と関連付けて受信する。
【００６２】
蓄積記憶部１２は、配信データ受信部１１により受信した広告データを、広告ＤＢ１７に蓄積記憶する。このとき、広告ＤＢ１７には、広告へのリンク情報（広告アドレス）を含む各種の関連データと、Ｗｅｂページ及びユーザとの関連付けが記憶される。
【００６３】
図４は、本実施形態に係る広告ＤＢ１７に格納された広告テーブルを示す図である。ここでは、広告ＩＤに対して、広告アドレス、一覧表示する際の表示スタイル、付加情報としてのメタデータ（タイトルや、その他の表示テキスト等）、アイコン、関連広告（シリーズ商品や関連商品等）のアドレスが記憶される。
【００６４】
これらの記憶されたデータは、ユーザ端末３０で一覧表示する際の、表示内容やスタイルを指定するものである。そこで、広告閲覧サーバ１０は、広告主からの広告料に応じて、設定可能なフィールドを限定することにより、ユーザ端末３０における広告効果に差異を設けることができる。この差異は、広告配信サーバ２０において、広告料に応じた記憶条件（例えば、ノーマル、プレミアム等）として設定される。この設定に従って、記憶可能なデータが広告配信サーバ２０により取捨選択され、配信データ受信部１１により受信される。
【００６５】
なお、広告テーブルには、さらに、広告毎の評価値が記憶されている。この評価値は、後述の評価更新部１６により更新される値であり、後述のリスト送信部１５における表示順位の決定に利用される。
【００６６】
図５は、本実施形態に係る広告ＤＢ１７に格納されたページ別配信テーブルを示す図である。ここでは、Ｗｅｂページに対して、付加された広告ＩＤ、閲覧された日時（時間帯）及びＷｅｂページ上で広告が配置された表示位置が記憶される。
【００６７】
ここで、日時及び表示位置は、広告閲覧要求における広告データの抽出条件となる。すなわち、ユーザ端末３０のユーザは、どのＷｅｂページにおいて、どの時間帯に、どの場所で見た広告であるかを抽出条件として指定することにより、該当の広告データを検索することができる。
【００６８】
図６は、本実施形態に係る広告ＤＢ１７に格納されたユーザ別配信テーブルを示す図である。ここでは、ユーザＩＤに対して、付加された広告ＩＤ、配信対象のＷｅｂページ、閲覧された日時（時間帯）及びＷｅｂページ上で広告が配置された表示位置を記憶する。
【００６９】
ここで、Ｗｅｂページ、日時及び表示位置は、図５のページ別配信テーブルと同様に、広告閲覧要求における広告データの抽出条件となる。すなわち、ユーザ端末３０のユーザは、自分（ログイン中のユーザ）が、どのＷｅｂページにおいて、どの時間帯に、どの場所で見た広告であるかを抽出条件として指定することにより、該当の広告データを検索することができる。
【００７０】
閲覧要求受付部１３は、ユーザ端末３０からの広告閲覧の要求を受け付ける。このとき、閲覧要求受付部１３は、閲覧対象の広告を抽出するための抽出条件を併せて受け付ける。この抽出条件は、上述のユーザＩＤ、Ｗｅｂページ、日時、表示位置又はメタデータのうち、いずれか又は全てに関する指定データである。
【００７１】
データ抽出部１４は、閲覧要求受付部１３により受け付けた抽出条件を満たす広告データを、広告ＤＢ１７から抽出する。すなわち、ユーザが覚えている条件に基づいて、該当する広告データが抽出される。また、広告閲覧サーバ１０は、管理者や広告主にとっては、あるユーザが閲覧した広告や、あるＷｅｂページに表示された広告を集計することができるため、管理に役立てることができる。
【００７２】
リスト送信部１５は、データ抽出部１４により抽出された広告データに基づいて、ユーザ端末３０にて一覧表示させるリストの表示データを生成し、要求のあったユーザ端末３０に送信する。表示データには、広告へのリンク情報が含まれるため、ユーザ端末３０のユーザは、このリンクをクリックすることにより、所望の広告を閲覧することができる。
【００７３】
ここで、リストの表示順序は、日時順や表示位置順等、所定の順序としてよい。また、リスト送信部１５は、広告テーブル（図４）の評価値に基づいて優先度を決定し、表示の順位付けを行ってもよい。
【００７４】
図７は、本実施形態に係るユーザ端末３０における広告閲覧の画面表示例を示す図である。
【００７５】
ユーザがブラウザ４０にて閲覧したＷｅｂページ４１には、右端（表示位置＝Ｒｉｇｈｔ）に広告４２が表示されている。このＷｅｂページ４１から、ユーザが他のＷｅｂページへ遷移させた場合、再びＷｅｂページ４１に戻ったときに、同じ広告４２が表示されるとは限らない。
【００７６】
そこで、ユーザは、ブラウザ４０のツールバーに設けられたリスト閲覧ボタン４３を押下する。リスト閲覧ボタン４３が押下されたことに応じて、広告閲覧サーバ１０は、広告閲覧要求と共に広告の抽出条件を受信する。
【００７７】
なお、抽出条件は、リスト閲覧ボタン４３の押下後に、ユーザに対して入力を求めるウィンドウを表示させることにより受け付けられてよい。また、抽出条件としてのＷｅｂページは、現在表示中のＷｅｂページ４１、抽出条件としてのユーザＩＤは、現在ログイン中のユーザＩＤとして、自動的に送信されることとしてよい。
【００７８】
広告閲覧サーバ１０により生成された広告リストがユーザ端末３０に送信されると、ユーザ端末３０において一覧画面５０が表示される。一覧画面５０では、広告テーブル（図４）にて設定されているスタイルにより、付加情報と共に広告へのリンクを含んだリストが表示される。そして、リンク５１がクリックされると、過去に閲覧された広告４２が再び表示される。
【００７９】
評価更新部１６は、広告テーブル（図４）に記憶される広告毎の評価値を、広告の表示頻度に基づいて算出して更新する。具体的には、評価更新部１６は、データ抽出部１４により抽出された回数をカウントすることにより、この回数が多いほど評価値を大きく算出し、表示の優先度を高める。
【００８０】
この更新された評価値に従って、リスト送信部１５は、表示データにおけるリストの順序を決定する。例えば、閲覧回数の多い広告ほど上位に表示されることにより、ユーザが興味を持つ広告が素早く検索される可能性がある。
【００８１】
［処理フロー］
図８は、本実施形態に係るシステムにおける処理の流れを示す図である。
【００８２】
ステップＳ１では、広告配信サーバ２０は、ユーザ端末３０からのＷｅｂページの閲覧要求に応じて、配信する広告を抽出する。
【００８３】
ステップＳ２では、広告配信サーバ２０は、ステップＳ１にて抽出された広告を、閲覧要求のあったＷｅｂページに付加し、ユーザ端末３０に送信する。
【００８４】
ステップＳ３では、広告配信サーバ２０は、ステップＳ１にて抽出された広告に関して、広告料に応じた条件に従って、付加情報の取捨選択を行う。
【００８５】
ステップＳ４では、広告配信サーバ２０は、ステップＳ３にて選択された付加情報を含めて、広告へのリンク情報を、広告データとして広告閲覧サーバ１０に送信する。
【００８６】
ステップＳ５では、広告閲覧サーバ１０は、ステップＳ４にて受信したリンク情報及び付加情報を、Ｗｅｂページ又はユーザＩＤに関連付けて、広告ＤＢ１７に蓄積記憶する。
【００８７】
以上のステップＳ１からＳ５までは、ユーザ端末３０によるＷｅｂページの閲覧要求に応じて繰り返し実行され、ステップＳ５において、過去に配信された広告へのリンク情報が蓄積記憶される。
【００８８】
ステップＳ６では、ユーザ端末３０は、広告閲覧サーバ１０に対して、過去に閲覧したＷｅｂページに付加されていた広告の抽出条件と共に、閲覧要求を送信する。
【００８９】
ステップＳ７では、広告閲覧サーバ１０は、ステップＳ６にて受信した抽出条件に基づいて、ステップＳ５にて蓄積記憶されたリンク情報及び付加情報を抽出する。
【００９０】
ステップＳ８では、広告閲覧サーバ１０は、ステップＳ７にて抽出した情報により、所定のルールで順位付けをし、過去に閲覧された広告のリストを生成する。
【００９１】
ステップＳ９では、広告閲覧サーバ１０は、ステップＳ８にて生成した広告リストを、ユーザ端末３０へ送信する。
【００９２】
ステップＳ１０では、ユーザ端末３０は、ステップＳ９にて受信した広告リストに基づいて画面表示を行い、ユーザからの選択入力を受け付ける。そして、ユーザから選択入力を受け付けると、ユーザ端末３０は、該当の広告アドレスにアクセスし、ユーザが所望する広告を表示させる。
【００９３】
ステップＳ１１では、広告閲覧サーバ１０は、ステップＳ７にてリンク情報を抽出した実績に基づいて、広告ＤＢ１７に記憶された広告データの評価値を更新する。
【００９４】
このように、本実施形態によれば、過去に配信された広告の広告データが広告閲覧サーバ１０に蓄積記憶され、ユーザからの要求に応じて、所望の広告を再度表示させることができる。また、本実施形態によれば、再表示させる広告の抽出条件を指定可能としたことにより、ユーザの利便性を向上させ、管理者や広告主による管理を簡便にすることができる。
【００９５】
さらに、本実施形態によれば、リスト表示のスタイル指定や付加情報の表示を可能とし、また、表示順序の調整がなされることにより、広告効果を一層高めたサービスが提供される。
【００９６】
＜第２実施形態＞
以下、本発明の第２実施形態について図を参照しながら説明する。本実施形態では、ユーザが能動的に、記憶する広告データを選択する点が第１実施形態とは異なる。なお、第１実施形態と共通の構成については、同一の符号を付して説明する。
【００９７】
図９は、本実施形態に係る広告の選択操作を受け付ける方法を説明する図である。Ｗｅｂページ４１の広告欄６１に隣接して、表示中の広告を選択（クリップ）する要素６０が配置される。なお、この要素６０は、文字列や画像で表されるハイパーリンクであってよい。
【００９８】
ユーザにより、このハイパーリンクがクリックされたことに応じて、配信データ受信部１１は、表示中の広告が選択されたことを示す選択データ（クリップフラグ＝１）を受信する。そして、蓄積記憶部１２は、広告データと対応付けて、このクリップフラグを記憶する。
【００９９】
図１０は、本実施形態に係る広告ＤＢ１７に格納されたユーザ別配信テーブルを示す図である。ここでは、第１実施形態（図６）に加えて、クリップフラグがさらに記憶される。クリップフラグが「１」の広告データ（図１０の例では、広告ＩＤ＝「０００２」）は、ユーザにより能動的に選択されたものである。
【０１００】
データ抽出部１４は、閲覧要求受付部１３により受け付けた抽出条件に基づいて、広告データと共に、クリップフラグを対応付けて抽出する。これにより、リスト送信部１５は、クリップフラグが「１」の広告データと、その他の広告データとを区別して一覧表示させる表示データを生成する。
【０１０１】
ここで、リスト送信部１５により表示データが送信されると、ユーザ別配信テーブル（図１０）に記憶されたクリップフラグは消去されてよい。このことにより、選択された（クリップされた）広告が、閲覧済みのものを含めて無用に増加することがなくなる。その結果、リストの件数は、まだ閲覧されていないものに限られるので、ユーザは、所望の広告を効率的に閲覧することができる。なお、クリップフラグの消去のタイミングは、所定の回数抽出されて送信された場合や、所定時間又は日数が経過した場合であってもよい。
【０１０２】
本実施形態では、送信手段であるリスト送信部１５は、選択データの有無に応じて異なるページデータを送信するが、このページデータは、選択データ（クリップフラグ＝１）が存在する場合は、その選択データに対応する広告の表示に到達するために操作すべき表示要素をリンク情報と共に又はリンク情報の表示に先立って表示するものである。以下、その様々な態様を例示する。
【０１０３】
例えば、図１１は、本実施形態に係る広告データの一覧画面６２を示す図である。この例では、クリップされた（ユーザにより選択された）広告データのリストと、その他の（Ｗｅｂページに表示されたが、ユーザにより選択されなかった）リストと、が区別して一覧表示される。リスト内の各項目は、広告へのリンクであり、表示されるのは、ＵＲＬや、広告のタイトル、あるいは部分画像や縮小画像等であってよい。
【０１０４】
なお、この一覧画面６２は、ブラウザ４０のツールバーに設けられたリスト閲覧ボタン４３（図９）が押下されたことに応じて、表示されることとしてよい。そして、このリストからリンクがクリックされると、過去に閲覧された対応する広告が表示される。
【０１０５】
ここで、閲覧要求受付部１３は、クリップフラグの有無（「１」か否か）を抽出条件に含めて受信してもよい。具体的には、広告閲覧サーバ１０は、例えば、別途設けられたボタンが押下されたことに応じて、クリップされた広告データのみの一覧表示を行ってもよい。また、広告閲覧サーバ１０は、同様に、クリップされていない広告データのみを一覧表示させることもできる。
【０１０６】
図１２は、本実施形態に係る一覧画面６２の表示例を示す図である。この例では、Ｗｅｂページ４１の広告欄６１に隣接して、閲覧ボタン（リンク）６７が配置される。この閲覧ボタン６７が押下されることに応じて、一覧画面６２が表示される。
【０１０７】
ここで、リスト内からリンクがクリックされると、対応する広告が表示される。表示位置は、一覧画面６２内であってもよいし、別画面が起動されて表示されてもよい。また、Ｗｅｂページ４１の広告欄６１の表示が、クリックされたリンクに対応する広告に切り替わってもよい。
【０１０８】
このように、本実施形態によれば、ユーザは、当該ユーザが能動的に選択しておいた広告データを、後から閲覧することができる。すなわち、ユーザは、Ｗｅｂページに表示される広告のうち、ユーザが特に興味を持ったものだけを、選択的に記憶させ、後から簡易に探し出すことができる。
【０１０９】
＜変形例＞
図１３は、第２実施形態の変形例に係る広告データの表示形態を示す図である。
【０１１０】
この例では、ブラウザ４０のツールバーに、広告データの表示要求を行うためのクリップ表示ボタン６３が設けられる。このクリップ表示ボタン６３が押下されると、リスト送信部１５は、広告としての画像ファイルを送信する。そして、広告表示画面６４には、広告画像が表示される。ここで、広告表示画面には、次ボタン６５及び前ボタン６６が設けられ、これらのボタンが押下されると、送信された広告画像の表示が順次切り替えられる。
【０１１１】
なお、広告表示画面６４に表示される画像は、Ｗｅｂページ４１に表示されていた広告そのものであってよいが、これには限られない。例えば、広告表示画面６４に表示される画像は、リンクが付与された部分画像や縮小画像であってもよい。
【０１１２】
また、リスト送信部１５は、クリップフラグが記憶された日時に基づいて、広告表示の優先度を決定してもよい。例えば、閲覧要求受付部１３により、古い順や新しい順等の表示順を受信することにより、リスト送信部１５は、ユーザが所望する広告データを効率的に提示することができる。
【０１１３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【０１１４】
【図１】第１実施形態に係る広告閲覧サーバ１０と関連要素とを含んだシステムの全体構成を示す図である。
【図２】第１実施形態に係る広告閲覧サーバ１０のハードウェア構成を示す図である。
【図３】第１実施形態に係る広告閲覧サーバ１０の機能構成を示す図である。
【図４】第１実施形態に係る広告ＤＢ１７に格納された広告テーブルを示す図である。
【図５】第１実施形態に係る広告ＤＢ１７に格納されたページ別配信テーブルを示す図である。
【図６】第１実施形態に係る広告ＤＢ１７に格納されたユーザ別配信テーブルを示す図である。
【図７】第１実施形態に係るユーザ端末３０における広告閲覧の画面表示例を示す図である。
【図８】第１実施形態に係るシステムにおける処理の流れを示す図である。
【図９】第２実施形態に係る広告の選択操作を受け付ける方法を説明する図である。
【図１０】第２実施形態に係る広告ＤＢ１７に格納されたユーザ別配信テーブルを示す図である。
【図１１】第２実施形態に係る広告データの一覧画面６２を示す図である。
【図１２】第２実施形態に係る一覧画面６２の表示例を示す図である。
【図１３】第２実施形態の変形例に係る広告データの表示形態を示す図である。
【符号の説明】
【０１１５】
１０  広告閲覧サーバ
１１  配信データ受信部
１２  蓄積記憶部
１３  閲覧要求受付部
１４  データ抽出部
１５  リスト送信部
１６  評価更新部
１７  広告ＤＢ
２０  広告配信サーバ
３０  ユーザ端末
３００  制御部
４１０  記憶装置
【手続補正３】
【補正対象書類名】図面
【補正対象項目名】図８
【補正方法】変更
【補正の内容】
【図８】
2010044735.tif 000016
【手続補正４】
【補正対象書類名】図面
【補正対象項目名】図１０
【補正方法】変更
【補正の内容】
【図１０】
2010044735.tif 000017